(57)【要約】【課題】事前登録をしないで、センターでも管理しないで、ホームページを閲覧したことを確認する。【解決手段】閲覧者に、閲覧者特定データと、閲覧ホームページ特定データを渡し、確認が必要な際に閲覧者は、その閲覧者特定データと、閲覧ホームページ特定データをホームページ閲覧確認者に提示する。または閲覧ごとに閲覧特定データを準備、記録し、閲覧者に閲覧特定データを渡し、確認が必要な際に閲覧者は、その閲覧特定データをホームページ閲覧確認者に提示する。【選択図】　　　　　図１
2004046768.tif 000002
【特許請求の範囲】
【請求項１】
下記のａ乃至ｄから成るホームページ閲覧確認システム
ａ．ホームページ閲覧者が対象ホームページを閲覧したことを確認したいホームページ閲覧確認者（以下閲覧確認者）は、該ホームページを特定するまたは絞り込むデータ（以下ホームページ特定データ）を準備する。
ｂ．ホームページ閲覧者が該ホームページを閲覧する場合に、上記閲覧確認者はホームページ閲覧者を特定、または絞り込むデータ（以下閲覧者特定データ）を取得する。
ｃ．上記閲覧確認者は上記ホームページ特定データおよび上記閲覧者特定データをホームページ閲覧者に渡し、ホームページ閲覧者はそれらのデータを保存する。
ｄ．上記ホームページ閲覧者は上記ホームページ特定データおよび上記閲覧者特定データを上記閲覧確認者に提示し、上記閲覧確認者は上記ホームページ閲覧者が該ホームページを閲覧したことを確認する。
【請求項２】
下記のａ乃至ｄから成るホームページ閲覧確認システム
ａ．ホームページ閲覧者が対象ホームページを閲覧したことを確認したい閲覧確認者は、該ホームページを特定するまたは絞り込むデータ（以下ホームページ特定データ）を準備する。
ｂ．ホームページ閲覧者が該ホームページを閲覧する場合に、上記閲覧確認者はホームページ閲覧者を特定、または絞り込むデータ（以下閲覧者特定データ）を取得し、その日時を記録する。
ｃ．上記閲覧確認者は上記ホームページ特定データ、上記閲覧者特定データおよび記録された上記閲覧日時のデータをホームページ閲覧者に渡し、ホームページ閲覧者はそれらのデータを保存する。
ｄ．上記ホームページ閲覧者は上記ホームページ特定データ、上記閲覧者特定データおよび上記閲覧日時のデータを上記閲覧確認者に提示し、上記閲覧確認者は上記ホームページ閲覧者が上記閲覧日時に該ホームページを閲覧したことを確認する。
【請求項３】
請求項１および２のｄ．においてホームページ訪問者がデータを閲覧確認者へ提示する場合に、閲覧確認者がその時点でのホームページ閲覧者の閲覧者特定データも取得し、そのホームページ閲覧者が該ホームページを閲覧したことを確認する請求項１および請求項２のホームページ閲覧確認システム。
【請求項４】
請求項１および請求項２のｃ．において渡すデータを暗号化し、請求項１および請求項２のｄ．において復号化し、ホームページ閲覧者が該ホームページを閲覧したことを確認する請求項１および請求項２のホームページ閲覧確認システム。
【請求項５】
請求項１および請求項２のｃ．において渡すデータをハッシュ関数等の一方向性演算を施し、その演算結果を閲覧者に渡し、請求項１および請求項２のｄ．において演算結果データを提示し、閲覧確認者が同じ方法で演算を施しその結果を比較することにより、ホームページ閲覧者が該ホームページを閲覧したことを確認する請求項１および請求項２のホームページ閲覧確認システム。
【請求項６】
下記のａ乃至ｃから成るホームページ閲覧確認システム
ａ．ホームページ閲覧者が該ホームページを閲覧する場合に、閲覧確認者はその閲覧を特定、または絞り込むデータ（以下閲覧特定データ）を準備して記録する。
ｂ．上記閲覧確認者は上記閲覧特定データをホームページ閲覧者に渡し、ホームページ閲覧者はそれらのデータを保存する。
ｃ．上記ホームページ閲覧者は上記閲覧特定データを上記閲覧確認者に提示し、上記閲覧確認者は上記ホームページ閲覧者が該ホームページを閲覧したことを確認する。
【請求項７】
請求項１、請求項２のｃ．及び請求項４、請求項５、請求項６のｂ．において渡すデータをインターネット閲覧ソフトで表現されるファイルに埋め込みそのファイルを渡すことによりデータを渡し、請求項１、請求項２のｄ．及び請求項４、請求項５、請求項６のｃ．においてそのファイルを提示することによりデータを提示する請求項１、請求項２、請求項４、請求項５および請求項６のホームページ閲覧確認システム。
【発明の詳細な説明】
【０００１】
【発明の属する技術分野】
本発明は、インターネットのホームページを特定の閲覧者が閲覧したか確認するインターネット利用技術に関するものである。
【従来の技術】
【０００２】
従来のホームページの閲覧確認は事前に登録されたユーザーに電子メールを送り、その中に埋め込んだリンクをクリックさせ、センターで管理するものである。
【０００３】
【発明が解決しようとする課題】
事前登録を不要とし、センターで管理もしないで、閲覧を確認できるシステム。
【０００４】
【課題を解決するための手段】
閲覧したホームページを特定する情報と、閲覧者を特定する情報を閲覧者に持ってもらい、閲覧の確認が必要な場合にそのデータを確認者が取得することにより、事前登録を不要とし、しかも閲覧を確認でき、センターで管理する必要のないシステムを実現する。
【０００５】
【発明の実施と形態】
発明の実施の形態を実施例に元づき図面を参照して説明する。
図１を参照してホームページ閲覧者がホームページを閲覧したことを確認する方法を説明する。
ａ．）ホームページ閲覧者Ａが対象ホームページＣを閲覧したことを確認したいホームページ閲覧確認者Ｚは、該ホームページを開設するサーバのＭＡＣアドレス、ディスクのボリュームシリアルナンバー、位置情報などのホームページを開設するサーバを特定するまたは絞り込む環境変数や、ＵＲＬ、任意のＩＤ、任意のデータ等のホームページを開設するサイトを特定するまたは絞り込むデータ等のホームページ特定データＢを準備する。
通常ホームページ閲覧者Ａは閲覧する際はホームページのＷＥＢサーバとはつながっているから上記ホームページ特定データＢはホームページを設置するＷＥＢサーバの中に準備することでシステムを簡単にできる。ホームページ閲覧者Ａと該ホームページＣのサーバの経路を監視したり、代理サーバ経由でホームページＣにアクセスすることでも実現可能である。
ｂ．）ホームページ閲覧者Ａが該ホームページＣを閲覧した場合に、上記閲覧確認者Ｚは、ホームページ訪問者Ａの端末のオペレーティングシステムおよびそのバージョン、ブラウザーおよびそのバージョン、ＭＡＣアドレス、ディスクのボリュームシリアルナンバー、位置情報、ホームページ訪問者の経由ＩＰアドレス、メールアドレス、ログインネーム、任意のＩＤ、任意のデータ等のホームページ閲覧者を特定、または絞り込む閲覧者特定データＤを取得する。
通常ホームページ閲覧者Ａは閲覧する際はホームページのＷＥＢサーバとはつながっているから上記閲覧者特定データＢはホームページを設置するＷＥＢサーバの中で取得することでシステムを簡単にできる。ホームページ閲覧者Ａと該ホームページＣのサーバの経路を監視するか、代理サーバ経由でホームページＣにアクセスすることでも実現可能である。
ｃ．）上記閲覧確認者Ｚは上記ホームページ特定データＢおよび上記閲覧者特定データＤをホームページ閲覧者Ａに渡す。通常ホームページを閲覧する前にホームページ特定データＢを準備し、閲覧者特定データＤを取得することが可能であるから、ホームページを閲覧するのと同時に閲覧されたホームページの中でホームページ特定データＢと、閲覧者特定データＤを渡すこともできる。ホームページ閲覧者Ａは渡されたホームページ及び閲覧者特定データＥを保存する。
ｄ．）上記ホームページ閲覧者Ａは上記ホームページ特定データＢおよび上記閲覧者特定データＤを上記閲覧確認者Ｚに提示し、上記閲覧確認者Ｚは上記ホームページ閲覧者Ａが該ホームページＣを閲覧したことを確認する。
提示の際に、ホームページ閲覧者Ａから閲覧者特定データを入力させる等して入手して調べることにより、ホームページ閲覧者Ａが該ホームページＣを閲覧したことを確認することもできる。
複数のホームページを閲覧した場合は、他の閲覧者に渡された閲覧者特定データは違うものになるので、複数のデータを提示させ、閲覧者データＤを調べることにより、閲覧しないで不正にデータを入手したものではない事がわかる。またホームページ特定データＢを調べれば、どのホームページを閲覧したかが分かる。
また複数のホームページ閲覧者Ａから提示された閲覧者特定データを調べれば、ホームページ閲覧者Ａが不正に入手したデータを提示していないことが分かる。
閲覧者に渡すデータにＩＤ等を付加して、提示されたデータに対してそのＩＤは提示済みであると閲覧確認者が記録すれば不正検出はより容易になる。
【０００６】
次に図２を参照してホームページ閲覧者がホームページを閲覧したこと及びその日時を確認する方法を説明する。
ａ．）ホームページ閲覧者Ａが対象ホームページＣを閲覧したことを確認したいホームページ閲覧確認者Ｚは、該ホームページを開設するサーバのＭＡＣアドレス、ディスクのボリュームシリアルナンバー、位置情報などのホームページを開設するサーバを特定するまたは絞り込む環境変数や、任意のＩＤ、任意のデータ等のホームページを開設するサイトを特定するまたは絞り込むデータ等のホームページ特定データＢを準備する。
通常ホームページ閲覧者Ａは閲覧する際はホームページのＷＥＢサーバとはつながっているから上記ホームページ特定データＢはホームページを設置するＷＥＢサーバの中に準備することでシステムを簡単にできる。ホームページ閲覧者Ａと該ホームページＣのサーバの経路を監視するか、代理サーバ経由でホームページＣにアクセスすることでも実現可能である。
ｂ．）ホームページ閲覧者Ａが該ホームページＣを閲覧した場合に、上記閲覧確認者Ｚは、ホームページ訪問者Ａの端末のオペレーティングシステムおよびそのバージョン、ブラウザーおよびそのバージョン、ＭＡＣアドレス、ディスクのボリュームシリアルナンバー、位置情報、ホームページ訪問者の経由ＩＰアドレス、メールアドレス、ログインネーム、任意のＩＤ、任意のデータ等のホームページ閲覧者を特定、または絞り込む閲覧者特定データＤ２を取得し、その日時を記録する。
通常ホームページ閲覧者Ａは閲覧する際はホームページのＷＥＢサーバとはつながっているから上記閲覧者特定データＢはホームページを設置するＷＥＢサーバの中で取得することでシステムを簡単にできる。ホームページ閲覧者Ａと該ホームページＣのサーバの経路を監視するか、代理サーバ経由でホームページＣにアクセスすることでも実現可能である。
ｃ．）上記閲覧確認者Ｚは上記ホームページ特定データＢ、上記閲覧者特定データＤ２及び閲覧日時データＤ１をホームページ閲覧者Ａに渡す。通常ホームページを閲覧する前にホームページ特定データＢを準備し、閲覧者特定データＤ２を取得することが可能であるから、ホームページを閲覧するのと同時にホームページの中でホームページ特定データＢ、閲覧者特定データＤ２および閲覧日時データＤ１を渡すこともできる。ホームページ閲覧者Ａは渡されたホームページ及び閲覧者特定データと閲覧日時データＥを保存する。
ｄ．）上記ホームページ閲覧者Ａは渡されたホームページ及び閲覧者特定データと閲覧日時データＥを上記閲覧確認者Ｚに提示し、上記閲覧確認者Ｚは上記ホームページ閲覧者Ａが該ホームページＣを閲覧日時Ｄ１に閲覧したことを確認する。
提示の際に、ホームページ閲覧者Ａから閲覧者特定データを入力させる等して入手して調べることにより、ホームページ閲覧者Ａが該ホームページＣを閲覧日時Ｄ１に閲覧したことを確認することもできる。
複数の該ホームページを閲覧した場合または２回以上該ホームページ閲覧した場合は、複数のデータを提示させ、閲覧者特定データＤ２を調べることにより、閲覧しないで他の閲覧者から不正にデータを入手したものではない事がわかる。またホームページ特定データＢを調べれば、どのホームページを閲覧したかが分かる。
また複数のホームページ閲覧者Ａから提示された閲覧者特定データＤ２を調べれば、ホームページ閲覧者Ａが不正に入手したデータを提示していないことが分かる。
閲覧者に渡すデータにＩＤ等を付加して、提示されたデータに対してそのＩＤは提示済みであると閲覧確認者が記録すれば不正検出はより容易になる。
【０００７】
次に図３を参照してホームページ閲覧者がホームページを閲覧したことをより確かに確認する方法を説明する。
ｄ．）ホームページ閲覧者Ａは渡されたデータＥを閲覧確認者Ｚに提示する。同時に閲覧確認者Ｚはホームページ閲覧者を特定、または絞り込む閲覧者特定データＧを取得し、提示されたデータＦの中の閲覧者特定データと取得した閲覧者特定データＧを調べてホームページ閲覧者Ａが該ホームページを閲覧したことを確認する。
【０００８】
次に図４を参照してホームページ閲覧者がホームページを閲覧したことをより安全に確認する方法を説明する。
ｃ１．）ホームページ閲覧確認者Ｚは閲覧者Ａに渡すデータを暗号化し、ｃ２．）暗号化されたデータＥをホームページ閲覧者Ａに渡す。ホームページ閲覧者Ａはデータを改ざんすることが難しくなり、不正を防ぐことができる。
ｄ１．）ホームページ閲覧者Ａは暗号化されたデータＦをホームページ確認者Ｚに提示し、ｄ２．）ホームページ確認者Ｚは提示されたデータＧを復号化し、ｄ３．）復号化されたデータＨを調べホームページ閲覧者Ａが該ホームページを閲覧したことを確認する。
【０００９】
次に図５を参照してホームページ閲覧者がホームページを閲覧したことをより強固に確認する方法を説明する。
ｃ１．）ホームページ閲覧確認者Ｚはホームページ特定データＢ、閲覧者特定データＣ（請求項２の場合は、及び閲覧日時Ｄ）にハッシュ等演算を施し、ｃ２．）演算結果データＥをホームページ閲覧者Ａに渡す。ホームページ閲覧者Ａはデータを改ざんすることがより難しくなり、不正を防ぐことができる。
ｄ１．）ホームページ閲覧者Ａは演算結果データＦをホームページ確認者Ｚに提示し、ｄ２．）ホームページ確認者Ｚは同じ演算を施し、ｄ３．）比較してホームページ閲覧者Ａが該ホームページを閲覧したことを確認する。
そのためにはホームページ閲覧確認者Ｚは演算前のすべてのデータを持っていなければならない。ホームページ特定データＢに関しては常にホームページ確認者Ｚが持っている。閲覧者特定データＣは演算結果データＥを提示するときに取得するか、閲覧者Ａに入力してもらうか、演算結果データＥを閲覧者Ａに渡す際に同時に渡し、閲覧者Ａが演算結果Ｆを提示するときに提示してもらう等の方法をとる。閲覧日時Ｄに関しては演算結果データＥを閲覧者Ａに渡す際に同時に渡し、閲覧者Ａが演算結果Ｆを提示するときに提示してもらうか、データをファイルで渡すときのファイルの日付から取得する等の方法をとる。ホームページ特定データＢはいずれの場合も閲覧者Ａに渡す必要がなく、改竄の危険性を大いに減らすことができる。
そのほか、渡したデータにＩＤを付加し、閲覧確認者側ですべてのデータを保存すること等によっても実現できる。
また演算を行うデータはすべてのデータではなくデータのうちの一部（たとえばそれぞれ別々とか、閲覧者データと閲覧日時等）でも似たような効果が出る。また演算されていない、閲覧者特定データＣや、閲覧日時Ｄを閲覧者Ａに渡す場合に暗号化すればより安全性が高まる。
【００１０】
次に図６を参照してホームページ閲覧者がホームページを閲覧したことを確認する方法を説明する。
ａ．）ホームページ閲覧者Ａが対象ホームページＢを閲覧する場合に、閲覧確認者Ｚはその閲覧を特定、または絞り込むデータＣ（以下閲覧特定データ）を準備して記録する。閲覧を特定できるデータＣは、連番などのユニークなデータか、充分に大きい乱数を発生させる方法や、閲覧者を特定するデータ、該ホームページを特定するデータ等から準備するか、あるいはそれらのデータに時間を加味して作成するなどの方法で準備する。閲覧を特定するユニークなデータか、または閲覧を充分に絞り込むデータである。管理の容易性のためにはユニークなデータが望ましい。
また、閲覧特定データＣを記録する際に、ホームページ特定データ、閲覧者特定データ、閲覧時間等も記録すれば管理や不正追跡の助けとなる。
ｂ．）上記閲覧確認者Ｚは上記閲覧特定データＣをホームページ閲覧者Ａに渡し、ホームページ閲覧者Ａはそのデータを保存する。
ｃ．）上記ホームページ閲覧者Ａは渡された閲覧特定データＤを上記閲覧確認者Ｚに提示し、上記閲覧確認者Ｚは上記ホームページ閲覧者Ａが該ホームページＢを閲覧したことを確認する。ホームページ閲覧確認者Ｚは上記ａ．）で記録された閲覧特定データＣと、提示された閲覧特定データＥを調べて閲覧者Ａがホームページを閲覧したことを確認する。同じ閲覧特定データが複数の閲覧者から提示されることはないか、まれであるから不正がないか確認することができる。
また、閲覧特定データを記録する際に、閲覧者特定データも記録し、提示の際に閲覧者特定データを取得して調べれば、より確かに閲覧を確認できる。
閲覧特定データが提示された場合に、閲覧確認者Ｚに記録された閲覧特定データＣにそのデータは提示済みであると記録すれば不正の検出が容易になる。
【００１１】
次に図７を参照してホームページ閲覧者がホームページを閲覧したことをより分かりやすく確認する方法を説明する。
ｃ１．）ホームページ閲覧確認者Ｚはホームページ閲覧者Ａに渡すデータＢをインターネット閲覧ソフトが表現できる、たとえば画像等の、ファイルに埋め込み、ｃ２．）そのデータを埋め込んだファイルＥをホームページ閲覧者Ａに渡す。ホームページ閲覧者ＡはそのファイルＦを保存する。ｄ１．）ホームページ閲覧者はデータを埋め込まれたファイルＦを閲覧確認者Ｚに提示し、ｄ２．）閲覧確認者Ｚはデータが埋め込まれたファイルＧからデータを取り出し、ｄ３．）取り出したデータＨを調べることによりホームページ閲覧者Ａが該ホームページを閲覧したことを確認する。
このようにすることにより、閲覧者Ａは意味のないデータや、ファイルを保存するのではなく、スタンプ様の画像等を保存、収集することにより、ホームページの閲覧確認を行えるようになる。
【発明の効果】
【００１２】
事前に登録することなく、管理のためのセンターも不要で、ホームページを閲覧したかが確認できる。
【図面の簡単な説明】
【図１】ホームページ閲覧者がホームページを閲覧したことを確認する方法
【図２】ホームページ閲覧者がホームページを閲覧したこと及びその日時を確認する方法
【図３】ホームページ閲覧者がホームページを閲覧したことをより確かに確認する方法
【図４】ホームページ閲覧者がホームページを閲覧したことをより安全に確認する方法
【図５】ホームページ閲覧者がホームページを閲覧したことをより強固に確認する方法
【図６】ホームページ閲覧者がホームページを閲覧したことを確認する方法
【図７】ホームページ閲覧者がホームページを閲覧したことをより分かりやすく確認する方法
【符号の説明】
（図１）
Ａ　ホームページ閲覧者；Ｚ　ホームページ閲覧確認者；Ｂ　ホームページ特定データ；Ｃ　対象ホームページ；Ｄ　閲覧者特定データ；Ｅ　渡されたホームページ及び閲覧者特定データ；Ｆ提示されたホームページ及び閲覧者特定データ；
（図２）
Ａ　ホームページ閲覧者；Ｚ　ホームページ閲覧確認者；Ｂ　ホームページ特定データ；Ｃ　対象ホームページ；Ｄ１　閲覧日時；Ｄ２　閲覧者特定データ；Ｅ　渡されたホームページ及び閲覧者特定データと閲覧日時；　Ｆ提示されたホームページ及び閲覧者特定データと閲覧日時；
（図３）
Ａ　ホームページ閲覧者；Ｚ　ホームページ閲覧確認者；Ｅ　渡されたデータ；Ｆ　提示されたデータ；Ｇ　確認時閲覧者特定データ；
（図４）
Ａ　ホームページ閲覧者；Ｚ　ホームページ閲覧確認者；Ｂ　閲覧者に渡すデータ；Ｅ　暗号化されたデータ；Ｆ　渡された暗号化データ；Ｇ　提示された暗号化データ；Ｈ　復号化されたデータ；
（図５）
Ａ　ホームページ閲覧者；Ｚ　ホームページ閲覧確認者；Ｂ　閲覧者に渡すデータ；Ｅ　演算結果データ；Ｆ　渡された演算結果化データ；Ｇ　提示された演算結果データ；Ｈ　渡したデータ；Ｉ　再計算された演算結果データ
（図６）
Ａ　ホームページ閲覧者；Ｚ　ホームページ閲覧確認者；Ｂ　対象ホームページ；Ｃ　閲覧特定データ；Ｄ　渡された閲覧特定データ；Ｅ　提示された閲覧特定ータ；
（図７）
Ａ　ホームページ閲覧者；Ｚ　ホームページ閲覧確認者；Ｂ　閲覧者に渡すデータ；Ｅ　データガ埋め込まれたファイル；Ｆ　渡されたデータが埋め込まれたファイル；Ｇ　提示されたデータが埋め込まれたファイル；Ｈ　ファイルから取り出されたデータ；
【図１】
2004046768.tif 000003
【図２】
2004046768.tif 000004
【図３】
2004046768.tif 000005
【図４】
2004046768.tif 000006
【図５】
2004046768.tif 000007
【図６】
2004046768.tif 000008
【図７】
2004046768.tif 000009